(57)【特許請求の範囲】
【請求項１】
外郭体で区画した隔離エリアに、前記外郭体に形成した通線孔に外部から挿通して設けられる線状部材を、前記隔離エリアの気密性を保持した状態で、前記外部から前記隔離エリアへの引き込み及び前記隔離エリアから前記外部への引き出し自在に設置するための気密保持型可動配線装置であって、
一端が前記通線孔に接続されて前記隔離エリアと連通し、且つ他端が開口して前記外部と連通し、前記外郭体の外部の前記線状部材が前記一端から他端を通じて前記外部に延出するように挿通する挿通経路を備えるとともに、
前記挿通経路に、該挿通経路を水で閉塞し前記隔離エリアの空気が前記外部に流通することを阻止する水封トラップを備えており、
前記水封トラップは、前記水を収容する水封トラップ本体と、該水封トラップ本体の内部を一室と他室に区画する仕切板と、前記水の水面よりも下方に形成されて前記一室と前記他室を連通させる連通口と、前記水封トラップ本体の前記水の水面よりも上方に、前記一室側及び前記他室側にそれぞれ貫通形成された第１貫通口及び第２貫通口と、前記水の水位を確認するための水位確認手段とを備え、前記一室側に形成した前記第１貫通口が管部材を介して前記通線孔に接続されていることを特徴とする気密保持型可動配線装置。
【請求項２】
請求項１記載の気密保持型可動配線装置において、
前記水位確認手段が、前記水封トラップ本体の少なくとも側部を透明部材で形成して構成されていることを特徴とする気密保持型可動配線装置。
【請求項３】
請求項１または請求項２に記載の気密保持型可動配線装置において、
前記水封トラップに、前記水に超音波を発振する超音波発振手段が設けられていることを特徴とする気密保持型可動配線装置。
【発明の詳細な説明】
【技術分野】
【０００１】
本発明は、外郭体で区画した隔離エリアに、外郭体に形成した通線孔に外部から挿通して設けられる例えば電源ケーブルやファイバーケーブルなどの線状部材を、隔離エリアの気密性を保持した状態で、外部から隔離エリアへの引き込み及び隔離エリアから外部への引き出し自在に設置するための気密保持型可動配線装置に関する。
【背景技術】
【０００２】
従来、例えば有害物質である飛散性の高いアスベストの除去作業は、外部環境にアスベストが飛散しないように、隔離した空間内（作業室内、隔離エリア）で行われる。また、このとき、例えば集塵機を用いて作業室の内部空気を吸引し、作業室内に飛散したアスベスト（粉塵）を捕集するとともに内部を負圧状態に保持して、外部（外部）へのアスベストの漏洩を確実に防止するようにしている（例えば、特許文献１の図９、特許文献２参照）。
【０００３】
一方、このようなアスベストの除去作業では、例えば、監視用カメラや、アスベストを剥ぎ取るための高圧水噴出装置（ウォータージェット）などの機器類を作業室内に設置して行われる。そして、このとき、電源ケーブル、ファイバーケーブルなどのケーブルや高圧水を噴出ノズルに供給するための供給ホースなどの配線（線状部材）を、作業室の壁（外郭体）に形成した通線用の孔（通線孔）に挿通して外部から作業室内に引き込み、機器類に接続するようにしている（例えば、特許文献２の図２参照）。
【特許文献１】特開２００２−１２１９０６号公報
【特許文献２】特開平８−２８０２６号公報
【発明の開示】
【発明が解決しようとする課題】
【０００４】
しかしながら、ケーブルやホースなどの配線を作業室内に引き込むために、作業室の壁に形成した通線孔は、これを必要最小限の大きさとし、挿通した配線との隙間をシール材などで埋めたとしても、作業室内の気密性を低下させる要因になりやすく、特にアスベスト（有害物質）を扱う作業室では、この通線孔からアスベストが外部に漏洩するおそれがあった。
【０００５】
また、アスベストの除去作業では、高圧水噴出装置や監視用カメラなどを作業室内で移動しながら使用するため、この種の移動機器に接続した電源ケーブルや高圧水の供給ホースなどの配線を、作業に応じて作業室内に外部から引き込んだり、作業室内から外部に引き出したりする必要が生じる。このため、通線孔に配線を移動自在に挿通することになり、さらに通線孔から内部空気が外部に漏洩する危険性が高くなってしまう。
【０００６】
本発明は、上記事情に鑑み、気密性の確保が必要な隔離エリアに外部から引き込んだ配線（線状部材）を、隔離エリアの気密性を保持しながら、外部から隔離エリアへの引き込み及び隔離エリアから外部への引き出し自在に設置するための気密保持型可動配線装置を提供することを目的とする。
【課題を解決するための手段】
【０００７】
上記の目的を達するために、この発明は以下の手段を提供している。
【０００８】
本発明の気密保持型可動配線装置は、外郭体で区画した隔離エリアに、前記外郭体に形成した通線孔に外部から挿通して設けられる線状部材を、前記隔離エリアの気密性を保持した状態で、前記外部から前記隔離エリアへの引き込み及び前記隔離エリアから前記外部への引き出し自在に設置するための気密保持型可動配線装置であって、一端が前記通線孔に接続されて前記隔離エリアと連通し、且つ他端が開口して前記外部と連通し、前記外郭体の外部の前記線状部材が前記一端から他端を通じて前記外部に延出するように挿通する挿通経路を備えるとともに、前記挿通経路に、該挿通経路を水で閉塞し前記隔離エリアの空気が前記外部に流通することを阻止する水封トラップを備えており、前記水封トラップは、前記水を収容する水封トラップ本体と、該水封トラップ本体の内部を一室と他室に区画する仕切板と、前記水の水面よりも下方に形成されて前記一室と前記他室を連通させる連通口と、前記水封トラップ本体の前記水の水面よりも上方に、前記一室側及び前記他室側にそれぞれ貫通形成された第１貫通口及び第２貫通口と、前記水の水位を確認するための水位確認手段とを備え、前記一室側に形成した前記第１貫通口が管部材を介して前記通線孔に接続されていることを特徴とする。
なお、本発明における「隔離エリアの気密性を保持した状態」には、隔離エリアと外部の間に空気の流通がない状態に限らず、隔離エリアと外部の間で空気を流通させながら、隔離エリアを外部に対して負圧に保持した状態が含まれる。
【０００９】
この発明においては、一端が通線孔に接続され、他端が外部に開口する挿通経路によって隔離エリアと外部が連通し、この挿通経路に挿通させることで線状部材を隔離エリアから外部に連続して配置することができ、挿通経路に沿って線状部材を移動させることで、外部から隔離エリアへの引き込み、隔離エリアから外部への引き出しを行うことができる。そして、このとき、挿通経路に水封トラップが設けられ、この水封トラップの水で挿通経路の一部が閉塞されていることによって、線状部材が水中を通って移動可能に設置されるのに対し、隔離エリアの空気は水によって外部に流通することがなく、確実に隔離エリアの気密性を保持した状態で、線状部材を引き込み及び引き出し自在に設置することが可能になる。
【００１１】
また、隔離エリアが通線孔を通じて管部材の内部と連通し、管部材の内部が第１貫通口を通じて水封トラップの一室と連通し、この一室が連通口を通じて他室と連通し、さらに他室が第２貫通口を通じて外部と連通して、線状部材を挿通させる挿通経路が形成される。そして、連通口が水面よりも下方に形成されているため、挿通経路の一部が水によって閉塞され、通線孔から管部材の内部に導出した隔離エリアの空気は、一室に収容した水の水面で遮断される。これにより、隔離エリアの空気が外部に流通することなく、確実に隔離エリアの気密性を保持した状態で、線状部材を引き込み及び引き出し自在に設置することが可能になる。
さらに、隔離エリアが例えばアスベストの除去作業を行う作業室である場合に、隔離エリアを外部に対して負圧状態にするとともに、この負圧の大きさに応じて、水封トラップの水の水位が変化する。すなわち、挿通経路の通線孔に繋がる一端から水封トラップの水の水面までの範囲は、隔離エリアと連通し、隔離エリアの空気が導入されるため、隔離エリアを負圧状態にするとともに、この負圧の大きさに応じて水面が隔離エリア側に移動する。このため、例えば、水封トラップに収容されている水（水面）が外側（外部）から見えるように、水封トラップをアクリルやガラスなどの透明部材（水位確認手段）を備えて形成したり、さらに透明部材に水面の位置（水位）を計測するための目盛り（水位確認手段）を設けたり、水位を計測するためのセンサー（水位確認手段）などを設けることで、隔離エリアの負圧状態を管理することが可能になる。これにより、確実にアスベストなどの有害物質が外部に漏洩することを防止して安全に作業を行うことが可能になる。
【００１２】
さらに、本発明の気密保持型可動配線装置においては、前記水封トラップに、前記水に超音波を発振する超音波発振手段が設けられていてもよい。
【００１３】
この発明においては、水封トラップの水中に配された線状部材を、超音波発振手段で水に超音波を発振することによって洗浄することが可能になる。これにより、例えば隔離エリアでアスベストなどの有害物質を扱い、この隔離エリアから引き出した線状部材に有害物質が付着しているような場合においても、水封トラップを通過するとともに確実に有害物質を取り除くことができ、挿通経路から洗浄を施した線状部材を外部に引き出すことが可能になる。よって、有害物質が外部に漏洩することを確実に防止できる。
【発明の効果】
【００１６】
本発明の気密保持型可動配線装置によれば、気密性の確保が必要な隔離エリアに外部から引き込んだ線状部材を、確実に隔離エリアの気密性を保持しながら、外部から隔離エリアへの引き込み及び隔離エリアから外部への引き出し自在に設置することが可能になる。これにより、例えば隔離エリアでアスベストの除去作業を行う場合においても、通線孔からアスベストが外部に漏洩することを確実に防止できる。
【発明を実施するための最良の形態】
【００１７】
以下、図１及び図２を参照し、本発明の一実施形態に係る気密保持型可動配線装置について説明する。本実施形態は、アスベストの除去作業を行う作業室内に配置された例えば高圧水噴出装置や監視用カメラなどの移動機器に、電源ケーブルや高圧水の供給ホースなどの配線を外部から引き込んで接続するための気密保持型可動配線装置に関するものである。なお、本実施形態では、配線（線状部材）が電源ケーブルであるものとして説明を行う。
【００１８】
はじめに、本実施形態の作業室１は、図１に示すように、壁や天井など（外郭体２）でその内部（隔離エリア３）を外部４に対して隔離（区画）し、気密性を保持するように形成されている。また、この作業室１は、図示せぬ集塵機が設けられ、この集塵機で内部空気を吸引し、内部３に飛散したアスベスト（粉塵）を捕集するとともに内部３を外部４に対して負圧状態に保持することで、外部４へのアスベストの漏洩を防止するように構成されている。さらに、作業室１の壁２に、通線孔５が貫通形成されており、この通線孔５を通じて、外部４から作業室１の内部３に配線（線状部材６）が引き込まれ、作業室１の内部３に配置した高圧水噴出装置や監視用カメラなどの移動機器７に接続されている。
【００１９】
ここで、作業室１の壁２の内側に電源接続部を設け、このように設けた電源接続部に、移動機器７に繋がる電源ケーブル６を接続して、電源ケーブル用の通線孔５を不要にすることも考えられる。しかしながら、本実施形態のように、作業室１の内部３でアスベストの除去作業を行うような場合には、高圧水噴出装置などで大量の水を使用するため、漏電の危険性が高くなってしまう。このため、従来、アスベストの除去作業を行う作業室１では、図１に示すように、移動機器７に接続した電源ケーブル６を作業室１の壁２に形成した通線孔５から外部４に延ばし、外部４の電源接続部８に接続するようにして、漏電の発生を防止するようにしている。
【００２０】
本実施形態の気密保持型可動配線装置Ａは、図１及び図２に示すように、作業室１の壁２に形成した通線孔５に一端１０ａ側が接続され、作業室１の外部４に延出したダクト（管部材１０）と、ダクト１０の他端に接続して設けられた水封トラップ１１とを備えて構成されている。
【００２１】
ダクト１０は、蛇腹ダクトであり、一端１０ａ側に設けたフランジ１０ｂを作業室１の壁面に固定して取り付けられ、このように作業室１の壁面に一端１０ａを取り付けた状態で、通線孔５を通じて作業室１の内部３に連通している。また、このとき、ダクト１０は、フランジ１０ｂやこのフランジ１０ｂが取り付けられる壁面に養生テープを貼り付けたり、シール材を塗布するなどして、フランジ１０ｂと作業室１の壁面との間から作業室１の内部空気が外部４に漏洩しないように設けられている。
【００２２】
一方、本実施形態の水封トラップ１１は、矩形箱状に形成され、その内部１２ａに水Ｗを収容する水封トラップ本体１２と、この水封トラップ本体１２の内部１２ａを一室１２ｂと他室１２ｃの２室に区画する仕切板１３とを備えて構成されている。
【００２３】
仕切板１３は、水封トラップ本体１２の幅方向略中央に設けられており、上端が水封トラップ本体１２の上部の内面に、両側端がそれぞれ水封トラップ本体１２の対向配置した一対の側部の内面にそれぞれ繋がって、上下方向に延設されている。また、このとき、仕切板１３の下端は、水封トラップ本体１２の底面よりも上方に配置されており、仕切板１３の下端と水封トラップ本体１２の底面の隙間によって、一室１２ｂと他室１２ｃを連通させる連通口１４が形成されている。そして、この連通口１４は、水封トラップ本体１２の一室１２ｂと他室１２ｃに収容した水Ｗの水面Ｗ１、Ｗ２よりも常時下方に位置するように形成されている。
【００２４】
さらに、水封トラップ本体１２には、収容した水Ｗの水面Ｗ１、Ｗ２よりも常時上方に位置するように、水封トラップ本体１２の上部に、第１貫通口１５と第２貫通口１６が形成されており、第１貫通口１５が一室１２ｂ側に、第２貫通口１６が他室１２ｃ側に、それぞれ外部４と水封トラップ本体１２の内部１２ａ（一室１２ｂ、他室１２ｃ）を連通させるように貫通して形成されている。
【００２５】
また、水封トラップ本体１２は、少なくとも側部が例えばアクリルやガラスなどの透明部材（水位確認手段）を用いて形成されており、外部４から一室１２ｂと他室１２ｃのそれぞれの内部１２ａに収容されている水Ｗの水面Ｗ１、Ｗ２を見ることができるように形成されている。さらに、一室１２ｂと他室１２ｃのそれぞれの内部１２ａの水Ｗの水位を計測（水面Ｗ１、Ｗ２位置を確認）するために、側部に目盛り（水位確認手段）が設けられている。なお、一室１２ｂと他室１２ｃ内の水Ｗにウキなどを浮かべて、それぞれの水位を確認しやすいようにしてもよい。また、水位確認手段は、水位センサーであってもよい。
【００２６】
そして、水封トラップ本体１２（水封トラップ１１）は、第１貫通口１５にダクト１０の他端を接続して設けられている。これにより、作業室１の内部３が通線孔５を通じてダクト１０の内部と連通し、ダクト１０の内部が第１貫通口１５を通じて水封トラップ本体１２の一室１２ｂと連通し、この一室１２ｂが連通口１４を通じて他室１２ｃと連通し、さらに他室１２ｂが第２貫通口１６を通じて外部４と連通する。このようにして、一端１０ａが作業室１の内部３に連通し、他端（第２貫通口１６）が外部４に開口して連通する一連の挿通経路が形成されている。
【００２７】
さらに、水封トラップ１１には、仕切板１３の下端側に、仕切板１３に沿う水平方向に回転軸線を配し、この回転軸線回りに回転可能に支持された第１滑車１７が設けられている。また、第１滑車１７は、その下端が仕切板１３の下端と水封トラップ本体１２の底面の間、すなわち連通口１４の間に配されるようにして仕切板１３に支持されている。さらに、第２貫通口１６の側近に、第１滑車１７の回転軸線と平行する回転軸線を備えた第２滑車１８が設けられている。第２滑車１８は、下端が水封トラップ本体１２の上部に繋がって上方に延設した支持部材に回転軸が支持され、上端を第２貫通口１６の上方に配した状態で、回転軸線回りに回転可能に設けられている。
【００２８】
さらに、本実施形態の水封トラップ１１には、水Ｗに超音波を発振する超音波発振手段２０が設けられ、外部４の超音波発振器２０ａから送られた電気信号によって振動し超音波を発する振動子２０ｂが水封トラップ本体１２の一室１２ｂ側の内部１２ａに配設されている。
【００２９】
また、作業室１の壁２に形成した通線孔５を通じて外部４から作業室１の内部３に引き込まれて、移動機器７に接続する配線６は、外部４に配置した配線ドラム２１に巻き回して設けられている。この配線ドラム２１は、正逆回転によって、配線６の送り出し、送り出した配線６の巻き戻しを行うように構成されている。また、本実施形態では、配線ドラム２１に電源接続部８が設けられており、この電源接続部８に外部電源を接続することで、配線６から移動機器７に電力が供給される。このように電源接続部８を作業室１の外部４に設けることで、作業室１の内部３で大量の水を使用する場合においても漏電の発生が確実に防止される。
【００３０】
上記のように構成した本実施形態の気密保持型可動配線装置Ａにおいては、配線ドラム２１から送り出された配線６が、水封トラップ１１の第２滑車１８に巻き掛けられて第２貫通口１６から他室１２ｃに延び、さらに、第１滑車１７に巻き掛けられて連通口１４を通じて一室１２ｂに延び、第１貫通口１５及びダクト１０の内部を通じて作業室１の内部３に設置されている。そして、作業室１の内部３に配された配線６の一端が移動機器７に接続されている。すなわち、作業室１の壁２に形成した通線孔５から外部４に引き出されている配線６は、気密保持型可動配線装置Ａの挿通経路に沿って挿通され、このとき、水封トラップ１１に収容した水Ｗ中を通って外部４に延設されている。
【００３１】
ついで、上記のように構成した本実施形態の気密保持型可動配線装置Ａの作用及び効果について説明する。
【００３２】
はじめに、アスベストの除去作業を行う作業室１の内部空気は、壁２の通線孔５を通じ、ダクト１０の内部から外部４に開口する水封トラップ１１の第２貫通口１６に向けて挿通経路に導出される。このとき、挿通経路を形成する連通口１４が水封トラップ本体１２に収容した水Ｗの水面Ｗ１、Ｗ２よりも下方に形成されているため、挿通経路の一部が水Ｗによって閉塞されている。このため、通線孔５からダクト１０の内部に導出した作業室１の内部空気は、一室１２ｂに収容した水Ｗの水面Ｗ１で遮断されることになり、この水Ｗによって他室１２ｃや第２貫通口１６を通じて外部４に流通することが阻止される。これにより、作業室１の壁２に通線孔５を形成した場合においても、確実に作業室１の内部空気ひいてはこの作業室１の内部３に飛散したアスベストの外部４への漏洩が防止され、作業室１の内部３の気密性が常時確実に保持されることになる。
【００３３】
また、作業室１の内部空気を集塵機で吸引し、内部３を外部４に対して負圧状態にするとともに、この負圧の大きさに応じて、水封トラップ１１に収容した水Ｗの水位が変化する。すなわち、挿通経路の通線孔５に繋がる一端１０ａから水封トラップ１１の一室１２ｂに収容した水Ｗの水面Ｗ１までの範囲は、作業室１の内部３と連通して内部空気が導入されているため、作業室１を負圧状態にするとともに、他室１２ｃ内の水Ｗが連通口１４から一室１２ｂ内に流れ、一室１２ｂ内の水面Ｗ１が上がり、他室１２ｃ内の水面Ｗ２が下がる。そして、作業室１の内部３の負圧が所望の圧力で保持されるとともに、一室１２ｂ内の水Ｗ及び他室１２ｃ内の水Ｗがそれぞれ所定の水位で安定する。このとき、本実施形態では、水封トラップ本体１２が透明部材（水位確認手段）を用いて形成され、この透明部材に目盛り（水位確認手段）が設けられている。これにより、外部４から一室１２ｂと他室１２ｃの水面Ｗ１、Ｗ２を見て、一室１２ｂや他室１２ｃ内の水Ｗの水位を確認することによって、容易に作業室１の負圧の大きさが把握でき、作業室１の負圧管理を行うことが可能になる。
【００３４】
ついで、このように作業室１を所定の負圧状態にした段階で、アスベストの除去作業を開始し、配線６を作業室１の内部３に引き込むように移動機器７を動かした場合には、移動機器７の移動とともに配線６が引っ張られ、配線ドラム２１が回転して、配線ドラム２１から配線６が送り出される。そして、このように配線ドラム２１から配線６を送り出すとともに、配線６が、第２滑車１８の回転によって第２貫通口１６から水封トラップ１１の他室１２ｃ内に送られ、他室１２ｃ内の水Ｗに挿入される。さらに、仕切板１３に支持された第１滑車１７の回転によって、連通口１４から一室１２ｂ内に送られて、一室１２ｂ内の水Ｗから引き出され、第１貫通口１５からダクト１０を通じて作業室１の内部３に引き込まれる。このように、外部４から作業室１の内部３に配線６を引き込む際に、本実施形態では、挿通経路の一部を閉塞し、作業室１の内部空気を遮断している水封トラップ１１の水Ｗの中を配線６が移動するため、確実に作業室１の気密性を保持した状態で、外部４から作業室１の内部３への配線６の引き込みが行われる。
【００３５】
一方、移動機器７を移動して配線６を作業室１から外部４に引き出す場合には、移動機器７の移動とともに配線ドラム２１を回転させて配線６を巻き戻してゆく。そして、この場合には、配線６が、外部４から作業室１の内部３に引き込む場合と逆に、ダクト１０の内部から水封トラップ１１の一室１２ｂの水Ｗの中を通って他室１２ｃに送られ、第２貫通口１６から外部４に引き出される。このように、挿通経路に沿って作業室１の内部空気を遮断している水封トラップ１１の水Ｗの中を配線６が移動することで、確実に作業室１の気密性を保持した状態で、作業室１の内部３から外部４への配線６の引き出しが行われる。
【００３６】
ここで、配線６を作業室１から外部４に引き出す場合には、作業室１の内部３に飛散したアスベストが配線６に付着しているおそれがあり、配線６をそのまま第２貫通口１６から外部４に引き出すことによって、アスベストが外部４に漏洩するおそれが生じる。
【００３７】
これに対し、本実施形態の水封トラップ１１には、水Ｗに超音波を発振する超音波発振手段２０が設けられているため、作業室１の内部３から引き出した配線６にアスベストが付着しているような場合においても、水封トラップ１１の水Ｗの中を通過するとともに超音波によって洗浄されて確実にアスベストが取り除かれ、このように洗浄を施した配線６が挿通経路から外部４に引き出されることになる。これにより、アスベストの外部４への漏洩が確実に防止される。なお、配線６が単に水封トラップ１１の水Ｗの中を通過することで、付着したアスベストを除去できる場合には、超音波発振手段２０を設けなくてもよい。
【００３８】
したがって、本実施形態の気密保持型可動配線装置Ａにおいては、一端が通線孔５に接続され、他端が外部４に開口する挿通経路によって作業室１の内部３と外部４が連通し、この挿通経路に挿通することで配線６を作業室１の内部３から外部４に連続して配置することができ、挿通経路に沿って配線６を移動させることによって、外部４から内部３への引き込み、内部３から外部４への引き出しを自在に行うことが可能になる。そして、このとき、挿通経路に水封トラップ１１が設けられ、水Ｗで挿通経路の一部が閉塞されているため、この水Ｗの中を通って自在に移動できる配線６に対し、作業室１の内部空気はこの水Ｗによって遮断される。これにより、確実に作業室１の気密性を保持した状態で、配線６を引き込み及び引き出し自在に設置することが可能になる。よって、アスベストの除去作業を行う作業室１の壁２に通線孔５を形成した場合においても、この通線孔５からアスベストが外部４に漏洩することを確実に防止できる。
【００３９】
また、水封トラップ１１に超音波発振手段２０が設けられていることによって、作業室１から引き出した配線６にアスベストが付着しているような場合においても、水封トラップ１１を通過するとともに確実にアスベストを取り除くことができ、洗浄を施した配線６を挿通経路から外部４に引き出すことが可能になる。これにより、アスベストが外部４に漏洩することをより確実に防止できる。
【００４０】
さらに、水封トラップ１１に収容した水Ｗの水位を確認するための水位確認手段（透明部材、目盛り、センサー）が設けられていることによって、作業室１の内部３を負圧状態にするとともにこの負圧の大きさに応じて変化する水封トラップ１１の水Ｗの水位を容易に確認することができる。これにより、本実施形態の気密保持型可動配線装置Ａを作業室１の負圧管理にも適用することが可能になる。
【００４１】
以上、本発明に係る気密保持型可動配線装置の一実施形態について説明したが、本発明は上記の一実施形態に限定されるものではなく、その趣旨を逸脱しない範囲で適宜変更可能である。例えば、本実施形態では、外部４から作業室１の内部（隔離エリア）３に引き込んで設置する配線（線状部材）６が電源ケーブルであるものとして説明を行ったが、本発明の気密保持型可動配線装置は、例えばファイバーケーブルや高圧水噴出装置の供給ホースなど、隔離エリア３を区画する外郭体２の通線孔５に挿通させ、外部４から隔離エリア３に引き込んで設置することを要する線状の部材であれば、特に線状部材６を限定することなく適用可能である。
【００４２】
また、本実施形態では、隔離エリアがアスベストの除去作業を行う作業室１（作業室１の内部３）であるものとして説明を行ったが、本発明は、外部４に対して隔離され、気密性を保持することが求められる隔離エリアであれば、特にアスベストなどの有害物質を取り扱う作業室１に限定することなく適用可能である。
【図面の簡単な説明】
【００４４】
【図１】本発明の一実施形態に係る気密保持型可動配線装置を作業室（外郭体）に設置した状態を示す図である。
【図２】図１に示した気密保持型可動配線装置の拡大図である。
【符号の説明】
【００４５】
１      作業室
２      壁（外郭体）
３      作業室の内部（隔離エリア）
４      外部
５      通線孔
６      配線（線状部材）
７      移動機器
８      電源接続部
１０    ダクト（管部材）
１０ａ  一端
１１    水封トラップ
１２    水封トラップ本体
１２ａ  内部
１２ｂ  一室
１２ｃ  他室
１３    仕切板
１４    連通口
１５    第１貫通口
１６    第２貫通口（他端）
１７    第１滑車
１８    第２滑車
２０    超音波発振手段
２０ａ  超音波発振器
２０ｂ  振動子
２１    配線ドラム
Ａ      気密保持型可動配線装置
Ｗ      水
Ｗ１    水面
Ｗ２    水面
【図１】
0005024612.tif 000002
【図２】
0005024612.tif 000003